(57)【要約】【課題】ロープブレーキを設けることなく、戸開走行に際してのロープ移動を阻止することができるエレベータ装置の提供。【解決手段】本発明に係るエレベータ装置は、戸開走行に際してロープ３の移動を阻止する手段が、ロープ３による押圧が可能に配置され、ロープ３による押圧が行われたときに、ロープ３との間にロープ３の移動を阻止可能な摩擦力を発生させる摩擦体２０と、乗かご１の荷重を利用してロープ３を摩擦体２０に押圧するロープ押圧手段とを備えている。メインシーブ６及びそらせシーブ１０に巻き掛けられるロープ３は複数本のロープ３から成り、摩擦体２０は、複数本のロープ３のそれぞれを嵌挿可能にする複数の溝部２０ａを有している。ロープ押圧手段は、メインシーブ６とつり合い重り２間に位置するロープ３の部分に向う方向へそらせシーブ１０を移動させるそらせシーブ移動手段から成る構成にしてある。【選択図】図１
2016155643.tif 000002
【特許請求の範囲】
【請求項１】
乗かご及びつり合い重りと、これらの乗かごとつり合い重りを連結するロープと、このロープを移動させる巻上機と、この巻上機を回転駆動するモータと、前記乗かごが所定階に着床したとき前記モータを制動するブレーキ装置と、前記巻上機に取り付けられ、前記ロープが掛け回されるメインシーブと、前記ロープが掛け回され、前記乗かごが前記つり合い重りから離隔するように前記ロープを反らせるそらせシーブと、前記ブレーキ装置が作動して前記モータを制動し、前記乗かごの戸が開いている状態で前記乗かごが移動したとき、前記ロープの移動を阻止するように作動するロープ移動阻止手段とを備えたエレベータ装置において、
前記ロープ移動阻止手段は、前記ロープによる押圧が可能に配置され、前記ロープによる押圧が行われたときに、前記ロープとの間に前記ロープの移動を阻止可能な摩擦力を発生させる摩擦体と、前記ロープを前記摩擦体に押圧するロープ押圧手段とを含むことを特徴とするエレベータ装置。
【請求項２】
請求項１に記載のエレベータ装置において、
前記メインシーブ及び前記そらせシーブに巻き掛けられる前記ロープは複数本のロープから成り、
前記摩擦体は、前記複数本のロープのそれぞれを嵌挿可能にする複数の溝部を有することを特徴とするエレベータ装置。
【請求項３】
請求項２に記載のエレベータ装置において、
前記摩擦体を、前記メインシーブと前記そらせシーブとの間に位置する前記ロープの部分に対向させて配置したことを特徴とするエレベータ装置。
【請求項４】
請求項１〜３のいずれか１項に記載のエレベータ装置において、
前記ロープ押圧手段は、前記メインシーブと前記つり合い重り間に位置する前記ロープの部分に向う方向へ前記そらせシーブを移動させるそらせシーブ移動手段から成ることを特徴とするエレベータ装置。
【請求項５】
請求項４に記載のエレベータ装置において、
前記そらせシーブ移動手段は、乗かごと、前記メインシーブと前記つり合い重り間に位置する前記ロープの部分に向う方向へ前記そらせシーブの軸を移動させる軸移動手段とを含むことを特徴とするエレベータ装置。
【請求項６】
請求項５に記載のエレベータ装置において、
前記巻上機が固定されるマシンベースを備え、
前記軸移動手段は、
前記そらせシーブの前記軸が移動可能に挿入される切り欠き穴を有するブラケットと、
前記ブラケットに固定される電磁ソレノイドと、
前記電磁ソレノイドの作動によって昇降し、下降時には、前記メインシーブと前記つり合い重り間に位置する前記ロープの部分に近づく方向への前記軸の移動を許容させ、上昇時には、前記メインシーブと前記つり合い重り間に位置する前記ロープの部分から離れる方向へ前記軸を移動させる昇降部とを含み、
前記ブラケットの前記切り欠き部は、上端が、前記メインシーブと前記つり合い重り間に位置する前記ロープの部分に近づく側に位置し、下端が、前記メインシーブと前記つり合い重り間に位置する前記ロープの部分から離れる側に位置する傾斜状に形成したことを特徴とするエレベータ装置。
【請求項７】
請求項６に記載のエレベータ装置において、
前記摩擦体を前記マシンベースに取り付ける取り付け台を備えたことを特徴とするエレベータ装置。
【発明の詳細な説明】
【技術分野】
【０００１】
本発明は、巻上機を回転駆動するモータを制動するブレーキ装置を備えるとともに、ロープの移動を阻止するように作動するロープ移動阻止手段を備えたエレベータ装置に関する。
【背景技術】
【０００２】
この種の従来技術が特許文献１に開示されている。この特許文献１に開示された従来のエレベータ装置は、乗かご及びつり合い重りと、これらの乗かごとつり合い重りを連結するロープと、このロープを移動させる巻上機とを備えている。また、このエレベータ装置は、巻上機に取り付けられ、ロープが掛け回されるメインシーブと、ロープが掛け回され、乗かごがつり合い重りから離隔するようにロープを反らせるそらせシーブとを備えている。
【０００３】
なお、この特許文献１には開示されていないが、一般にエレベータ装置にあっては、巻上機を回転駆動するモータと、乗かごが所定階に着床したときにモータを制動するブレーキ装置とを備えている。
【０００４】
また、この特許文献１に開示された従来技術は、ブレーキ装置が作動してモータを制動し、乗かごの戸が開かれている状態で乗かごが移動、すなわち走行したとき、ロープの移動すなわち乗かごの移動を阻止するように作動するロープ移動阻止手段を備えている。このロープ移動阻止手段は、ロープを把持してロープの移動を阻止するロープブレーキから成っている。
【先行技術文献】
【特許文献】
【０００５】
【特許文献１】特開２００７−２０４２３８号公報
【発明の概要】
【発明が解決しようとする課題】
【０００６】
前述した従来技術は、戸開走行に際してロープの移動を阻止するロープ移動阻止手段が、周知のように構造が複雑なロープブレーキから成ることから、設備コストが高くなる問題がある。
【０００７】
本発明は、前述した従来技術における実情からなされたもので、その目的は、ロープブレーキを設けることなく、戸開走行に際してのロープ移動を阻止することができるエレベータ装置を提供することにある。
【課題を解決するための手段】
【０００８】
前記目的を達成するために、本発明に係るエレベータ装置は、乗かご及びつり合い重りと、これらの乗かごとつり合い重りを連結するロープと、このロープを移動させる巻上機と、この巻上機を回転駆動するモータと、前記乗かごが所定階に着床したとき前記モータを制動するブレーキ装置と、前記巻上機に取り付けられ、前記ロープが掛け回されるメインシーブと、前記ロープが掛け回され、前記乗かごが前記つり合い重りから離隔するように前記ロープを反らせるそらせシーブと、前記ブレーキ装置が作動して前記モータを制動し、前記乗かごの戸が開いている状態で前記乗かごが移動したとき、前記ロープの移動を阻止するように作動するロープ移動阻止手段とを備えたエレベータ装置において、前記ロープ移動阻止手段は、前記ロープによる押圧が可能に配置され、前記ロープによる押圧が行われたときに、前記ロープとの間に前記ロープの移動を阻止可能な摩擦力を発生させる摩擦体と、前記ロープを前記摩擦体に押圧するロープ押圧手段とを含むことを特徴としている。
【発明の効果】
【０００９】
本発明に係るエレベータ装置は、戸開走行に際しては、ロープ押圧手段によってロープを摩擦体に押圧することによってロープの移動を阻止することができる。すなわち、本発明は、ロープブレーキを設けることなく、戸開走行に際してのロープの移動を阻止することができる。摩擦体もロープ押圧手段も、比較的簡単な構成とすることが可能である。したがって本発明は、戸開走行に際してのロープの移動の阻止に要する設備コストを従来よりも低減させることができる。
【図面の簡単な説明】
【００１０】
【図１】本発明に係るエレベータ装置の一実施形態を示す概略側面図である。
【図２】本実施形態に備えられる摩擦体の部分を示す側面図である。
【図３】本実施形態に備えられる摩擦体の部分の縦断面図である
【図４】本実施形態に備えられるそらせシーブの部分を示す側面図である。
【図５】本実施形態に備えられるそらせシーブの部分を示す正面図である。
【図６】本実施形態の動作を説明する図である。
【発明を実施するための形態】
【００１１】
以下、本発明に係るエレベータ装置の実施の形態を図面に基づいて説明する。
【００１２】
図１に示すように、本発明の一実施形態に係るエレベータ装置は、乗かご１及びつり合い重り２と、これらの乗かご１とつり合い重り２を連結するロープ３と、例えば機械室４に設置されたマシンベース５上に取り付けられ、ロープ３を移動させる巻上機７と、この巻上機７を回転駆動するモータ８と、乗かご１が所定階に着床したときモータ８を制動するブレーキ装置９とを備えている。また、巻上機７に取り付けられ、ロープ３が掛け回されるメインシーブ６と、ロープ３が掛け回され、乗かご１がつり合い重り２から離隔するようにロープ３を反らせるそらせシーブ１０とを備えている。
【００１３】
また、本実施形態は、乗かご１の走行制御、すなわちモータ８の駆動、及びブレーキ装置９の駆動を制御する制御装置１１を備えている。この制御装置１１は、乗かご１が着床して乗かご１の戸が開かれた際に、所定の検出手段から出力される戸開検出信号が入力されるようになっている。
【００１４】
また、本実施形態に係るエレベータ装置は、ブレーキ装置９が作動してモータ８を制動し、乗かご１の戸が開かれている状態で乗かご１が移動したとき、すなわち戸開走行が行われたとき、ロープ３の移動を阻止するように作動するロープ移動阻止手段を備えている。このロープ移動阻止手段は、ロープ３による押圧が可能に配置され、ロープ３による押圧が行われたときに、ロープ３の移動を阻止可能な摩擦力を発生させる例えばゴム材から成る摩擦体２０と、ロープ３を摩擦体２０に押圧するロープ押圧手段とを備えている。
【００１５】
メインシーブ６及びそらせシーブ１０に巻き掛けられるロープ３は、複数本のロープ３から成っている。図３に示すように、摩擦体２０は、複数本のロープ３のそれぞれの嵌挿を可能にする複数本の溝部２０ａを有している。
【００１６】
図１，２に示すように、摩擦体２０を、メインシーブ６とそらせシーブ１０との間に位置するロープ３の部分３ａに対向させて配置してある。また、図２に示すように本実施形態は、摩擦体２０をマシンベース５に取り付ける取り付け台２１を備えている。
【００１７】
前述したロープ押圧手段は、メインシーブ１０とつり合い重り２間に位置するロープ３の部分３ｂに向う方向へそらせシーブ１０を移動させるそらせシーブ移動手段から成っている。
【００１８】
このそらせシーブ移動手段は、乗かご１と、メインシーブ１０とつり合い重り２間に位置するロープ３の部分３ｂに向かう方向へ図４，５に示すそらせシーブ１０の軸１０ａを移動させる軸移動手段とを含んでいる。
【００１９】
この軸移動手段は、同図４，５に示すように、そらせシーブ１０の軸１０ａが移動可能に挿入される切り欠き穴２３を有するブラケット２２と、このブラケット２２に固定され、制御装置１１から出力される信号により作動する電磁ソレノイド２４とを含んでいる。
【００２０】
また、この軸移動手段は、電磁ソレノイド２４によって作動し、下降時にメインシーブ１０とつり合い重り２間に位置するロープ３の部分３ｂに近づく方向への軸１０ａの移動を許容させ、上昇時にメインシーブ１０とつり合い重り２間に位置するロープ３の部分３ｂから離れる方向へ軸１０ａを移動させる昇降部２５を含んでいる。
【００２１】
前述したブラケット２２の切り欠き穴２３は、図４に示すように、上端２３ａがメインシーブ１０とつり合い重り２間に位置するロープ３の部分３ｂに近づく側に位置し、下端２３ｂがメインシーブ１０とつり合い重り２間に位置するロープ３の部分３ｂから離れる側に位置する傾斜状に形成してある。
【００２２】
このように構成した本実施形態は、図４に示すように、電磁ソレノイド２４によって昇降部２５を上昇させた状態にあっては、昇降部２５によってそらせシーブ１０の軸１０ａが、ブラケット２２の切り欠き穴２３の下端１０ａに押圧された状態となる。この状態では、そらせシーブ１０が、メインシーブ６とつり合い重り２との間に位置するロープ３の部分３ｂから離れる側に位置し、乗かご１がつり合い重り２から離隔する。したがって、乗かご１の通常走行が可能となる。
【００２３】
このように乗かご１が通常走行して所定階に着床し、巻上機７を駆動するモータ８がブレーキ装置９によって制動され、乗かご１の戸、及び乗場の戸が開かれた状態にあって、何らかの理由により戸開走行が行われたときには、図示しない戸開検出手段から制御装置１１に戸開検出信号が出力される。これにより制御装置１１から電磁ソレノイド２４に信号が出力され、電磁ソレノイド２４が作動して昇降部２５が図４に示す状態から下降する。これにより、そらせシーブ１０の軸部１０ａに対する昇降部２５の押圧力が解かれ、乗かご１の荷重により、ロープ３を介してそらせシーブ１０は図６の矢印３０で示すように、メインシーブ６とつり合い重り２間のロープ３の部分３ｂ方向へ移動する。このとき、そらせシーブ１０の軸１０ａは、切り欠き穴２３を下端２３ｂから上端２３ａに向って移動する。
【００２４】
これにより、主ロープ３のそれぞれは、摩擦体２０の溝部２０ａに嵌挿され、乗かご１の荷重によって摩擦体２０に押圧される。この押圧によりロープ３の移動が阻止され、乗かご１は停止する。
【００２５】
このように戸開走行が行われたときには、制御装置１１から電磁ソレノイド２４に出力される信号により、乗かご１は速やかに停止制御される。
【００２６】
また、戸開走行に対する調査、点検作業が終了し、通常走行に復帰させる際には、図示しない復帰指示手段が操作され、この復帰指示手段から出力された復帰指示信号が制御装置１１へ送信される。これにより制御装置１１から電磁ソレノイド２４に信号が出力され、電磁ソレノイド２０が作動して昇降部２５が上昇する。このとき昇降部２５による押圧で、そらせシーブ１０の軸１０ａが切り欠き穴２３の上端２３ａ側から下端２３ｂ側へ移動し、この下端２３ｂに係止されて図４に示す状態となる。このような動作に伴って、ロープ３の部分３ａが摩擦体２０の溝部２０から離脱し、そらせシーブ１０が、メインシーブ６とつり合い重り２との間に位置するロープ３の部分３ｂから離れるように移動し、乗かご１がつり合い重り２から離隔する。これにより乗かご１の通常走行が可能な状態に復帰する。
【００２７】
このように構成した本実施形態にあっては、前述したように戸開走行に際しては、ロープ押圧手段、すなわちそらせシーブ移動手段に含まれる乗かご１と、そらせシーブ１０の軸１０ａを移動させる軸移動手段とにより、ロープ３を摩擦体２０に押圧することができ、これによってロープ３の移動を阻止することができる。すなわち、本実施形態は、ロープブレーキを設けることなく、戸開走行に際してのロープ３の移動を阻止することができる。摩擦体２０も、ロープ押圧手段すなわち、そらせシーブ手段に含まれる軸移動手段も、比較的簡単な構成とすることが可能である。したがって本実施形態は、戸開走行に際してのロープ３の移動の阻止に要する設備コストを低減させることができる。
【符号の説明】
【００２８】
１    乗かご
２    つり合い重り
３    主ロープ
３ａ  部分
３ｂ  部分
４    機械室
５    マシンベース
６    メインシーブ
７    巻上機
８    モータ
９    ブレーキ装置
１０    そらせシーブ
１０ａ  軸
１１    制御装置
２０    摩擦体
２０ａ  溝部
２１    取り付け台
２２    ブラケット
２３    切り欠き穴
２３ａ  上端
２３ｂ  下端
２４    電磁ソレノイド
２５    昇降部
【図１】
2016155643.tif 000003
【図２】
2016155643.tif 000004
【図３】
2016155643.tif 000005
【図４】
2016155643.tif 000006
【図５】
2016155643.tif 000007
【図６】
2016155643.tif 000008